(57)【要約】【課題】  逆箱状の玄関ポーチを、同じく逆箱状のポーチ階段上面の連結部に連結するだけで位置決めができ、かつ、軽量なため少人数で作業を行うことができる玄関ポーチ階段並びにその施工方法を提供する。【解決手段】  下面を開口してなる箱状の玄関ポーチを、同じく下面を開口してなる箱状のポーチ階段状に載置してなることを特徴とする玄関ポーチ階段。【選択図】図１
2008031814.tif 000002
【特許請求の範囲】
【請求項１】
下面を開口してなる逆箱状の玄関ポーチを、同じく下面を開口してなる逆箱状のポーチ階段状に載置してなることを特徴とする玄関ポーチ階段。
【請求項２】
上記玄関ポーチを上記ポーチ階段上に載置すべく、連結部を設けてなることを特徴とする請求項１記載の玄関ポーチ階段。
【請求項３】
上記連結部が、溝であることを特徴とする請求項２記載の玄関ポーチ階段。
【請求項４】
上記連結部が、ダボであることを特徴とする請求項２記載の玄関ポーチ階段。
【請求項５】
玄関前の所要位置にポーチ階段をセットするセット工程と、ポーチ階段の上方より連結部に合わせて玄関ポーチを載置する載置工程とからなることを特徴とする玄関ポーチ階段の施工方法。
【発明の詳細な説明】
【技術分野】
【０００１】  本発明は、玄関ポーチ階段並びにその施工方法に関するものである。
【背景技術】
【０００２】  従来の技術としては、所定の高さ寸法の周壁部を有し、この周壁部の上面側は開放され、周壁部の底側に周壁から内方に張り出す張り出し部を一体に備えた発泡スチロール等の軽量な土留め材を用い、この土留め材を設置したのち、この土留め材の環状周壁内に土を充填し、しかる後、前記土留め材と土とが埋め込み状態となるようにコンクリートを打設することを特徴とする、玄関ポーチ等におけるコンクリート土間部の構築方法、立ち上がり壁部が平面視アングル状をし、底側に立ち上がり壁部から内方に張り出す張り出し部を備えたコーナー部役物と、立ち上がり壁部が平面視直線状をし、底側に立ち上がり壁部から内方に張り出す張り出し部を備えた一般部役物とを備え、四隅のコーナー部役物が直接又は一般部役物を介して連接されることで、環状の周壁部を形設するようになされていることを特徴とする土留め材がある。（特許文献１参照）【０００３】  また、別の従来技術として、上板部と下板部とを周壁で支持して上板部と下板部の間に袋部が形成された支持材の上板部上面に複数の主材が装設された床材を現場に搬送し、複数の床材を連結する工程と、床材を地盤に据え付ける工程と、前記袋部に充填材を充填し、一体に形成する工程との結合からなることを特徴とする玄関ポーチ等の施工方法、上板部と下板部とを周壁で支持して上板部と下板部の間に充填材を充填する袋部が形成された支持材の上板部上面に複数の主材が装設された床材であって、前記主材の裏面には剥離防止材が付設され、該剥離防止材の先端部は支持材の袋部内に臨出していることを特徴とする玄関ポーチがある。
（特許文献２参照）
【特許文献１】  特開２００３−２９３４４６号公報
【特許文献２】  特開平１０−１９５９７５号公報
【発明の開示】
【発明が解決しようとする課題】
【０００４】  上記前者においては、コーナー部役物を設けた土留め材に土を充填し、その後、打設してなるもので、複雑な形状をしてなる土留め材を使用し、かつ、施工方法においてもコンクリートを打設する等手間がかかり、ある程度の技術を要するものである。【０００５】  また、上記後者においても、複数の床材を連結する工程や充填材を充填し一体に形成する等、これもまた手間や費用がかかるものである。【０００６】  本発明は、このような従来の構成が有する問題点を解決しようとするものであり、逆箱状の玄関ポーチを、同じく逆箱状のポーチ階段上面の連結部に連結するだけで位置決めができ、かつ、軽量なため少人数で作業を行うことができる玄関ポーチ階段並びにその施工方法を提供することを目的とする。
【課題を解決するための手段】
【０００７】  本発明は、上記の目的を達成するために、下面を開口してなる箱状の玄関ポーチを、同じく下面を開口してなる箱状のポーチ階段状に載置してなる。
上記玄関ポーチを上記ポーチ階段上に載置すべく、連結部を設けてなる。
上記連結部が、溝である。
上記連結部が、ダボである。
玄関前の所要位置にポーチ階段をセットするセット工程と、ポーチ階段の上方より連結部に合わせて玄関ポーチを載置する載置工程とからなることを特徴とする。
【発明の効果】
【０００８】１）、逆箱状の玄関ポーチを、同じく逆箱状のポーチ階段上に載することにより、誰でも簡単に、特別な技術を要することなく施工できる。
２）、玄関ポーチ及びポーチ階段を下面を開口した箱状とすることにより、軽量で、かつ、強度のある製品とすることができる。
３）、連結部を設けることにより、ポーチ階段に玄関ポーチを確実に位置決めできる。
４）、連結部が、溝であることにより、４辺を係止して載置することができる。
５）、連結部が、タボ（凹凸）であることにより、特に左右の移動を確実にホールドすることができる。
【発明を実施するための最良の形態】
【０００９】  玄関ポーチ１は、平面方形状の主にコンクリート製等による下面を開口し、逆箱状に形成してなるものである。【００１０】  ポーチ階段２は、上記の玄関ポーチ１と同様な平面方形状の主にコンクリート製等による下面を開口し、逆箱状に形成してなるもので、玄関ポーチ１より平面寸法を適宜大きくしてなるもので、上面に玄関ポーチ１の下端面（口の字形）に適合する溝による連結部２ａを設けてある。【００１１】  上記玄関ポーチ１及びポーチ階段２を使用してなる玄関ポーチ階段の施工方法を説明する。【００１２】  まず、玄関Ｇ前の所要位置Ｅを適宜掘り下げ、レベル及び位置決め用のモルタルダンゴＤを少なくとも４箇所設ける。
つづいて、上記モルタルダンゴＤ上にポーチ階段２をセットする。（セット工程）
つぎに、ポーチ階段２上の連結部２ａに、その上方より玄関ポーチ１の下端面を挿入し、係止固着するものである。（載置工程）
また、必要に応じて、モルタルダンゴＤにてレベル調整すると共に、所要位置Ｅの周囲を土等にて整地する。
なお、モルタルダンゴＤは、必ずしも必要ではなく、所要位置Ｅが整地されていればそのまま施工することもできる。【００１３】  また、別の形態の玄関ポーチ２１は、下端面６箇所にダボ（凸体）による連結部２１ａを設ける。
さらに、ポーチ階段２２は、上記連結部２１ａに対応するダボ（凹体）２２ａを設けてなるものであり、前記施工方法と同じ手法で施工できるものである。【００１４】  なお、各実施例における玄関ポーチ階段は、形状やサイズ等を規格するのが最良と思われる。
また、材質としてコンクリート製のみならずレジン製等も一考である。
さらに、ポーチ階段は１段のみならず、２段、３段等も考えられる。
【図面の簡単な説明】
【００１５】
【図１】  本発明の第１実施例を示す玄関ポーチとポーチ階段を連結した平面図。
【図２】  本発明の第１実施例を示す玄関ポーチとポーチ階段を連結した縦断正面図。
【図３】  本発明の一実施例を示す玄関ポーチ階段の施工方法におけるセット工程図。
【図４】  本発明の一実施例を示す玄関ポーチ階段の施工方法における載置工程図。
【図５】  本発明の第２実施例を示す玄関ポーチとポーチ階段を連結した平面図。
【図６】  本発明の第２実施例を示す玄関ポーチとポーチ階段を連結した縦断正面図。
【符号の説明】
【００１６】１−−−玄関ポーチ
２−−−ポーチ階段
２ａ−−連結部
Ｇ−−−玄関
Ｅ−−−所要位置
Ｄ−−−モルタルダンゴ
【図１】
2008031814.tif 000003
【図２】
2008031814.tif 000004
【図３】
2008031814.tif 000005
【図４】
2008031814.tif 000006
【図５】
2008031814.tif 000007
【図６】
2008031814.tif 000008